(57)【要約】  【課題】  音楽記録媒体を再生した際、待ち時間をほとんど必要とせずに音楽を聴取することができるオーディオ装置を提供する。  【解決手段】  主制御手段６が音楽記録媒体２の排出後の再生であることを音楽記録媒体制御手段３より検出した場合は、音楽記録媒体２より音楽記録媒体制御手段３が音楽データを読み出す間書換え可能記憶手段４に記憶された音楽データを一時記憶手段５に転送して再生し、主制御手段６が音楽記録媒体２の排出がなされずに再生するのを音楽記録媒体制御手段３より検出した場合は、音楽記録媒体２より音楽記録媒体制御手段３が音楽データを読み出す間一時記憶手段５に記憶された音楽データを再生するようにしたもので、音楽記録媒体２を再生した際、待ち時間をほとんど必要とせずに音楽を聴取することができる。【選択図】  図１
2005285229.tif 000002
【特許請求の範囲】
【請求項１】
音楽記録媒体に記録された音楽データの再生、停止及び排出を制御する音楽記録媒体制御手段と、前記音楽記録媒体制御手段が再生した音楽データを先頭から所定時間記憶する書換え可能記憶手段と、音楽データ再生中に所定時間音楽データを記憶する一時記憶手段と、入力手段より入力された指示を基に前記音楽記録媒体制御手段を制御する主制御手段とを備え、前記主制御手段が前記音楽記録媒体の排出後の再生であることを前記音楽記録媒体制御手段より検出した場合は、前記音楽記録媒体より前記音楽記録媒体制御手段が音楽データを読み出す間前記書換え可能記憶手段に記憶された音楽データを前記一時記憶手段に転送して再生し、前記主制御手段が前記音楽記録媒体の排出がなされずに再生するのを前記音楽記録媒体制御手段より検出した場合は、前記音楽記録媒体より前記音楽記録媒体制御手段が音楽データを読み出す間前記一時記憶手段に記憶された音楽データを再生することを特徴とするオーディオ装置。
【請求項２】
音楽記録媒体に記録された音楽データの再生、停止及び排出を制御する音楽記録媒体制御手段と、前記音楽記録媒体制御手段が再生した音楽データを先頭から所定時間記憶する書換え可能記憶手段と、音楽データ再生中に所定時間音楽データを記憶する一時記憶手段と、入力手段より入力された指示を基に前記音楽記録媒体制御手段を制御する主制御手段とを備え、前記主制御手段が前記音楽記録媒体の再生中に一旦停止したことを前記音楽記録媒体制御手段より検出した場合、前記書換え可能記憶手段と前記一時記憶手段に音楽データを記憶し、一旦停止後再生を開始した際前記音楽記録媒体より前記音楽記録媒体制御手段が音楽データを読み出すまでの間前記書換え可能記憶手段に記憶された音楽データを一時記憶手段に転送して再生することを特徴とするオーディオ装置。
【請求項３】
音楽記録媒体に記録された音楽データの再生、停止及び排出を制御する音楽記録媒体制御手段と、前記音楽記録媒体制御手段が再生した音楽データを先頭から所定時間記憶する書換え可能記憶手段と、音楽データ再生中に所定時間音楽データを記憶する一時記憶手段と、入力手段より入力された指示を基に前記音楽記録媒体制御手段を制御する主制御手段とを備え、前記主制御手段が前記音楽記録媒体の排出後の再生であることを前記音楽記録媒体制御手段より検出した場合は、前記音楽記録媒体より前記音楽記録媒体制御手段が音楽データを読み出す間前記書換え可能記憶手段に記憶された音楽データ前記一時記憶手段に転送して再生し、前記主制御手段が前記音楽記録媒体の排出がなされずに再生するのを前記音楽記録媒体制御手段より検出した場合は、前記音楽記録媒体より前記音楽記録媒体制御手段が音楽データを読み出す間前記一時記憶手段に記憶された音楽データを再生すると共に、前記主制御手段が前記音楽記録媒体の再生中に一時停止であることを前記音楽記録媒体制御手段より検出した場合、前記書換え可能記憶手段と前記一時記憶手段に音楽データを記憶し、一時停止解除後前記音楽記録媒体より前記音楽記録媒体制御手段が音楽データを読み出すまでの間前記書換え可能記憶手段に記憶された音楽データを一時記憶手段に転送して再生することを特徴とするオーディオ装置。
【請求項４】
前記音楽記録媒体制御手段が再生した音楽データを先頭から所定時間書換え可能記憶手段に記憶する際、前記音楽記録媒体の総演奏時間や曲番、総トラック数等の音楽記録媒体から得られる情報を単独もしくは組み合わせて同時に記憶してなる請求項１ないし３の何れかに記載のオーディオ装置。
【発明の詳細な説明】
【技術分野】
【０００１】
本発明は、音楽記録媒体を再生した際、待ち時間をほとんど必要とせずに音楽を聴取することができるオーディオ装置に関する。
【背景技術】
【０００２】
従来家庭内で音楽を聴取したり、自動車の車室内で音楽を聴取するためのオーディオ装置は、音楽ＣＤやＣＤ−ＲＯＭ，ＤＶＤ−ＲＯＭ等に音楽データを予め記録した音楽記録媒体が再生できるようにしたものが主流となっている。
【０００３】
またこのようなオーディオ装置で音楽記録媒体を再生すると、装置本体は音楽記録媒体より例えば２倍の再生速度で音楽データを読み出してバッファに音楽データを格納し、バッファに格納した音楽データを通常の再生速度で再生しており、これによって車載用オーディオ装置のように、走行中の振動等により音楽記録媒体より音楽データが読み出せなかった場合でも、再生音が途切れることなく音楽を聴取できるようになっている。
【０００４】
しかし従来のオーディオ装置では、音楽の聴取を止めるため再生を一旦停止したり、装置本体の電源をオフした後、次に音楽を聴取するため再生ボタンを押し、もしくは装置の電源をオンした場合、装置本体は音楽記録媒体の回転を開始すると共に、音楽データを読み出す光ピックアップを音楽記録媒体のスタート位置まで移動させる動作を行うため、音楽記録媒体より音楽データを読み出し、再生するまで時間がかかる問題があった。
【０００５】
かかる問題を改善するため、音楽記録媒体の再生を停止した後、再び記録媒体を再生する場合、音楽記録媒体の再生を停止する直前までバッファに格納されていた音楽データを消去せずに規定時間保持し、停止状態から規定時間が経過する前に再び再生状態に復帰した場合、バッファに格納してある音楽データから再生を開始することにより、再生まで待ち時間をほとんど必要とせずに音楽記録媒体が再生できるようにしたオーディオ装置が公知である(例えば特許文献１)。
【特許文献１】特開平５−３１４６５５号公報
【発明の開示】
【発明が解決しようとする課題】
【０００６】
しかし前記特許文献１に記載されたオーディオ装置のように、音楽記録媒体の再生を開始する直前までの音楽データをバッファに規定時間保持するようにしたものでは、音楽記録媒体を再び再生するまでの時間が規定時間を超えるとバッファに格納された音楽データが消去されてしまうため、音楽記録媒体を再度再生するまでの時間に制約を受けると共に、音楽記録媒体を一度再生した後でないと前記機能が有効にならない等の問題がある。
【０００７】
また装置本体の電源をオフにした後、再び電源をオンにして音楽記録媒体を再生する場合は、音楽記録媒体を回転させ、音楽記録媒体の回転が安定したところで光ピックアップをスタート位置まで移動させて音楽記録媒体の再生を開始するため、電源をオンにしてから音楽記録媒体の再生が開始されるまでの待ち時間は短縮されない問題もある。
【０００８】
かかる問題を解決するため、音楽記録媒体を常時回転させておく方法もあるが、この方法では、装置本体より音楽記録媒体の回転音が常時発生するため騒音の原因となる上、無駄に電力を消費するため省電力化が達成できなかったり、装置本体の機構部分が早期に消耗するため寿命が短い等の問題もある。
【０００９】
本発明はかかる従来の問題を改善するためになされたもので、音楽記録媒体を再生した際、待ち時間をほとんど必要とせずに音楽を聴取することができるオーディオ装置を提供することを目的とするものである。
【課題を解決するための手段】
【００１０】
本発明のオーディオ装置は、音楽記録媒体に記録された音楽データの再生、停止及び排出を制御する音楽記録媒体制御手段と、音楽記録媒体制御手段が再生した音楽データを先頭から所定時間記憶する書換え可能記憶手段と、音楽データ再生中に所定時間音楽データを記憶する一時記憶手段と、入力手段より入力された指示を基に音楽記録媒体制御手段を制御する主制御手段とを備え、主制御手段が音楽記録媒体の排出後の再生であることを音楽記録媒体制御手段より検出した場合は、音楽記録媒体より音楽記録媒体制御手段が音楽データを読み出す間書換え可能記憶手段に記憶された音楽データを一時記憶手段に転送して再生し、主制御手段が音楽記録媒体の排出がなされずに再生するのを音楽記録媒体制御手段より検出した場合は、音楽記録媒体より音楽記録媒体制御手段が音楽データを読み出す間一時記憶手段に記憶された音楽データを再生するようにしたものである。
【００１１】
前記構成により、装置本体に音楽記録媒体をセットして音楽データを再生すると、音楽記録媒体制御手段が音楽データを読み出す間書換え可能記憶手段に記憶された音楽データを一時記憶手段に転送して再生を開始するため、ほとんど待ち時間を必要とせずに音楽を聴取することができ、これによって音楽記録媒体を再生する際の操作レスポンスが向上する。
【００１２】
また待ち時間を少なくするために常時音楽記録媒体を回転させておく必要がないため、音楽記録媒体の回転音が騒音の原因となることがない上、無駄に電力を消費したり、装置本体の機構部分が早期に消耗することがないため、省電力化と寿命の向上が図れる。
【００１３】
本発明のオーディオ装置は、音楽記録媒体に記録された音楽データの再生、停止及び排出を制御する音楽記録媒体制御手段と、音楽記録媒体制御手段が再生した音楽データを先頭から所定時間記憶する書換え可能記憶手段と、音楽データ再生中に所定時間音楽データを記憶する一時記憶手段と、入力手段より入力された指示を基に音楽記録媒体制御手段を制御する主制御手段とを備え、主制御手段が音楽記録媒体の再生中に一旦停止したことを音楽記録媒体制御手段より検出した場合、書換え可能記憶手段と一時記憶手段に音楽データを記憶し、一旦停止後再生を開始した際音楽記録媒体より音楽記録媒体制御手段が音楽データを読み出すまでの間書換え可能記憶手段に記憶された音楽データを一時記憶手段に転送して再生するようにしたものである。
【００１４】
前記構成により、再生中の音楽記録媒体を一旦停止した後再び再生を開始すると、音楽記録媒体制御手段が音楽データを読み出す間書換え可能記憶手段に記憶された音楽データを一時記憶手段に転送して再生を開始するため、ほとんど待ち時間を必要とせずに音楽を聴取することができると共に、書換え可能記憶手段に記憶された音楽データを再生するため、音楽記録媒体を再度再生するまでの時間に制約を受けることがない。
【００１５】
また待ち時間を少なくするために常時音楽記録媒体を回転させておく必要がないため、音楽記録媒体の回転音が騒音の原因となることがない上、無駄に電力を消費したり、装置本体の機構部分が早期に消耗することがないため、省電力化と寿命の向上が図れる。
【００１６】
本発明のオーディオ装置は、音楽記録媒体に記録された音楽データの再生、停止及び排出を制御する音楽記録媒体制御手段と、音楽記録媒体制御手段が再生した音楽データを先頭から所定時間記憶する書換え可能記憶手段と、音楽データ再生中に所定時間音楽データを記憶する一時記憶手段と、入力手段より入力された指示を基に音楽記録媒体制御手段を制御する主制御手段とを備え、主制御手段が音楽記録媒体の排出後の再生であることを音楽記録媒体制御手段より検出した場合は、音楽記録媒体より音楽記録媒体制御手段が音楽データを読み出す間書換え可能記憶手段に記憶された音楽データを一時記憶手段に転送して再生し、主制御手段が音楽記録媒体の排出がなされずに再生するのを音楽記録媒体制御手段より検出した場合は、音楽記録媒体より音楽記録媒体制御手段が音楽データを読み出す間一時記憶手段に記憶された音楽データを再生すると共に、主制御手段が音楽記録媒体の再生中に一時停止であることを音楽記録媒体制御手段より検出した場合、書換え可能記憶手段と一時記憶手段に音楽データを記憶し、一時停止解除後音楽記録媒体より音楽記録媒体制御手段が音楽データを読み出すまでの間書換え可能記憶手段に記憶された音楽データを一時記憶手段に転送して再生するようにしたものである。
【００１７】
前記構成により、装置本体に音楽記録媒体をセットして音楽データを再生すると、音楽記録媒体制御手段が音楽データを読み出す間書換え可能記憶手段に記憶された音楽データを一時記憶手段に転送して再生を開始するため、ほとんど待ち時間を必要とせずに音楽を聴取することができ、これによって音楽記録媒体を再生する際の操作レスポンスが向上する。
【００１８】
また待ち時間を少なくするために常時音楽記録媒体を回転させておく必要がないため、音楽記録媒体の回転音が騒音の原因となることがない上、無駄に電力を消費したり、装置本体の機構部分が早期に消耗することがないため、省電力化と寿命の向上が図れる。
【００１９】
本発明のオーディオ装置は、音楽記録媒体制御手段が再生した音楽データを先頭から所定時間書換え可能記憶手段に記憶する際、前記音楽記録媒体の総演奏時間や曲番、総トラック数等の音楽記録媒体から得られる情報を単独もしくは組み合わせて同時に記憶したものである。
【００２０】
前記構成により、音楽記録媒体を頻繁に交換したり、予め複数の音楽記録媒体をマガジン等に収納し、これら音楽記録媒体の中から選択して音楽データを再生するようにしたオーディオ装置の場合でも、ほとんど待ち時間を必要とせずに音楽を聴取することができる。
【発明の効果】
【００２１】
本発明のオーディオ装置によれば、ほとんど待ち時間を必要とせずに音楽を聴取することができるため、音楽記録媒体を再生する際の操作レスポンスが向上する。
【発明を実施するための最良の形態】
【００２２】
本発明の実施の形態を、図面を参照して詳述する。
【００２３】
図１はオーディオ装置の全体的な構成を示すブロック図、図２ないし図４は作用説明図である。
【００２４】
図１に示すオーディオ装置は、例えば自動車等の車両に搭載して使用する車載用オーディオ装置であって、装置本体１は、音楽ＣＤやＣＤ−ＲＯＭ、ＤＶＤ−ＲＯＭ等に予め音楽データを記録した音楽記録媒体２から音楽データの読み出し（再生）し、また停止及び排出を制御する音楽記録媒体制御手段３と、音楽記録媒体制御手段３が再生した音楽データ（ＭＰ３等の音楽ファイル）を保持するハードディスクドライブ（ＨＤＤ）やフラッシュメモリよりなる書換え可能記憶手段４と、音楽記録媒体制御手段３が再生した音楽データを一時格納するバッファとして機能するＤＲＡＭよりなる一時記憶手段５と、マイクロコンピュータよりなる主制御手段６と、主制御手段６からの指令により書換え可能記憶手段４や一時記憶手段５に記憶された音楽データ等を参照する記憶媒体制御手段７と、装置本体１の例えば前面に設けられた操作スイッチ等の入力手段８と、記録媒体制御手段７より出力される音楽データをＤ／Ａ変換するＤ／Ａコンバータと増幅器及びスピーカとからなるオーディオ出力手段９と、主制御手段６より出力されるシステムの状態や音楽記録媒体２に記録された曲名、アーチスト名等の情報を表示する液晶表示器よりなる表示手段１０とにより全体が構成されている。
【００２５】
音楽記録媒体２より音楽データを再生する音楽記録媒体制御手段３は、音楽記録媒体２を例えば２倍速で回転する機構部と、音楽記録媒体２より音楽データを読み出す光ピックアップ(ともに図示せず) を有していて図２に示すフローチャートにより音楽記録媒体２を再生できるようになっている。
【００２６】
次に図２ないし図４を参照してオーディオ装置の作用を説明すると、装置本体１の電源をオンにして、聴取する音楽記録媒体２を装置本体１にセットし、入力手段８より図２のフローチャートのステップＳ１で再生を開始すると、音楽記録媒体制御手段３は、音楽記録媒体２を再生時の例えば２倍の速度で回転させ、光ピックアップをスタート位置へ移動させる準備をステップＳ２で開始すると共に、一旦排出された音楽媒体２の再生であることを音楽記録媒体制御手段が検出する。
【００２７】
なお、ステップＳ１で音楽記録媒体２の例えばトラック１を再生するよう入力手段８より指示された場合、音楽記録が媒体２のトラック１より再生するよう準備を行う。
【００２８】
その後ステップＳ３へ進んでステップＳ１で指示されたトラック１の音楽データがＨＤＤやフラッシュメモリよりなる書換え可能記憶手段４に存在するかが判断され、存在する場合はステップＳ４へ進んで、書換え可能記憶手段４に予め記憶されていた音楽データを先頭から所定時間一時記憶手段５へ転送して、一時記憶手段５へ格納する。
【００２９】
図３は音楽記録媒体２に記録された音楽データと、書換え可能記憶手段４に記憶された音楽データを一時記憶手段５へ転送する様子を示すもので、この図では音楽記録媒体２の音楽データは１〜１０、書換え可能記憶手段４の音楽データは１´〜８´、一時記憶手段５は４ブロック分の記憶容量があるものとして表示している。
【００３０】
その後、図２に示すフローチャートのステップＳ５に進んで、主制御手段６は、一時記憶手段５へ格納された音楽データの先頭からオーディオ出力手段９へ出力するよう記憶媒体制御手段７へ指示するため、一時記憶手段５に格納された音楽データがオーディオ出力手段９より音声として出力されると共に、音楽記録媒体２の再生準備が完了するまで図３の（ロ）及び（ハ）に示すように書換え可能記憶手段より一時記憶手段５へ音楽データの転送が継続される。
【００３１】
これによって装置本体１の電源をオンにし、入力手段８より聴取したい音楽記録媒体２の例えばトラックを入力するだけで、音楽記録媒体２の再生が開始されるため、一度再生したことのある音楽記録媒体２の場合、待ち時間なしで音楽を聴取できるようになる。
【００３２】
一方、音楽記録媒体制御手段３にセットされた音楽記録媒体２の回転数が安定し、また光ピックアップが再生開始位置へ移動されて再生の準備が完了したのを主制御手段６が図２に示すフローチャートのステップＳ６で判断すると、ステップＳ７へ進んで音楽記録媒体２より音楽記録媒体制御手段３が読み出した音楽データを、記憶媒体制御手段７が一時記憶手段５へ図３の（ニ）に示すように格納すると同時に、書換え可能記憶手段４から一時記憶手段５への音楽データの転送を停止する。
【００３３】
その後ステップＳ９に進んで、一時記憶手段５に格納された音楽データの先頭からオーディオ出力手段９へ音楽データが出力されるため、聴取中の音楽を中断することなく音楽記録媒体２に記録された音楽データを引き続き再生することができる。
【００３４】
また一時記憶手段５へ音楽データを格納する方法は次のように行われる。
【００３５】
音楽記録媒体２より再生するトラックが入力手段８により指示され、トラックの先頭から音楽データを読み出すときには、音楽記録媒体２より読み出した音楽データを一時記憶手段５へ格納すると同時に、ステップＳ１０で先頭から例えば５秒間保持されているかが判定され、保存されていない場合はステップＳ１４へ進んで、トラックの先頭から例えば５秒分の音楽データを書換え可能記憶手段４へ保存する。記憶する音楽データの長さは、音楽記録媒体制御手段３の起動を主制御手段６が指示してから、準備が完了して音楽記媒体２より音楽データの読み出しが可能となるまでの時間よりやや長い時間分の音楽データを記憶すれば十分で、音楽記録媒体２を再生するまでに例えば２秒かかる場合は、それより長い、例えば５秒間分の音楽データを書換え可能記憶手段４へ記憶すればよい。
【００３６】
なお、書換え可能記憶手段４へ記憶する音楽データは、音楽記録媒体２より読み出した音楽データをそのまま記憶してもよく、ＭＰ３やＷＭＡのような圧縮オーディオ形式に変換した音楽データであってもよい。
【００３７】
また音楽記録媒体２より書換え可能記憶手段４へ音楽データを記憶させるタイミングは、音楽記録媒体２を曲の先頭から再生した場合に限る必要はなく、例えば一時記憶手段５の記憶容量が一杯になり、一時記憶手段５からの再生時間が長時間、例えば１分間再生できる場合は、音楽データをまだ記憶していないトラックの先頭へ光ピックアップを移動させ、移動したトラックから音楽データを読み出して書換え可能記憶手段５へ記憶するようにしてもよく、この場合一時記憶手段５から音楽データを再生し、一時記憶手段５に格納された音楽データが空になる前に、再生中のトラックから再び音楽データの読み出しを開始すればよい。
【００３８】
さらに複数の音楽記録媒体２から書換え可能記憶手段４へＴＯＣ（Ｔａｂｌｕ  ｏｆ  Ｃｏｎｔｅｎｔｓ）を含む音楽データを記憶することも可能である。
【００３９】
この場合まず音楽記録媒体２の違い、例えば総演奏時間や曲番、総トラック数等の音楽記録媒体２から得られる情報（ＴＯＣ）を単独もしくは組み合わせることにより識別する。
【００４０】
図４は複数の音楽記録媒体２の音楽データを書換え可能記憶手段４へ記憶した状態を模式化したもので、装置本体１の音楽記録媒体制御手段３にセットされた音楽記録媒体２を識別し、識別結果を基に書換え可能記憶手段４へ音楽データを記憶するが、記憶する際には、記憶先の領域を選択し、また書換え可能記憶手段４から一時記憶手段５へ音楽データを転送する際には、転送する音楽データを選択することにより、一度再生したことのある音楽記録媒体２については、装置本体１の音楽記録媒体制御手段３へ音楽記録媒体２をセットした直後より再生が開始されるため、準備のための待ち時間はほとんどない。
【００４１】
その後ステップＳ１１で入力手段８より停止の指示が入力されたかを判定し、停止の指示が入力されていない場合はステップS７へ戻って前記フローを繰り返すと共に、停止の指示が入力された場合は、ステップＳ１２へ進んで装置本体１への停止処理を行う。
【００４２】
また図２に示すフローチャートのステップＳ３で、再生する音楽記録媒体８の音楽データが書換え可能記憶手段４に記憶されていないと判定された場合は、ステップＳ１３へ進んで、音楽記録媒体２より音楽データを直接読み出して再生する通常の再生となる。
【００４３】
一方前記動作において、音楽記録媒体２を再生している状態で再生を一旦停止し、その後再び再生を開始する場合、次の方法を再生することにより、再生に復帰した際の操作レスポンスを向上させることができる。
【００４４】
すなわち、音楽記録媒体２より音楽データを読み出して一時記憶手段５へ格納する際、同時に書換え可能記憶手段４にも同じ音楽データを記憶させる。
【００４５】
このとき書換え可能記憶媒体４に記憶させる音楽データの量は、音楽記録媒体２から音楽データが読み出し可能となるまでの長さでよい。
【００４６】
この状態で音楽記録媒体２の再生を一旦停止し、その後再び再生を開始すると、音楽記録媒体制御手段３が音楽記録媒体２の音楽データの読み出しを開始しようとするが、このときすでに書換え可能記憶手段４には前回の再生時一時記憶手段５に格納された音楽データが記憶されていて、その内容を一時記憶手段５へ転送するため、音楽記録媒体２の再生を一旦停止後、停止位置から再び再生を開始すると、音楽記録媒体２からの読み出しが開始されるまでの間、書換え可能記憶手段４より一時記憶手段５へ転送された音楽データが再生されるため、音楽記録手段２からの音楽データの読み出しが開始されるまでの時間を待たずに音楽を聴取することができるようになる。
【００４７】
なお前記実施の形態では、車載用オーディオ装置について説明したが、家庭内で音楽を聴取するオーディオ装置にも勿論適用できるものである。
【００４８】
また再生する音楽記録媒体２としては、音楽ＣＤやＣＤ−ＲＯＭ、ＤＶＤ−ＲＯＭの他にＭＰ３ファイルやＷＭＡファイルのように圧縮された音楽データでもよい。
【産業上の利用可能性】
【００４９】
本発明のオーディオ装置は、音楽記録媒体を再生した際、待ち時間をほとんど必要とせずに音楽を聴取することができるため、家庭用オーディオ装置や車載用オーディオ装置に最適である。
【図面の簡単な説明】
【００５０】
【図１】本発明の実施の形態になるオーディオ装置の全体的な構成を示すブロック図である。
【図２】本発明の実施の形態になるオーディオ装置の作用を示すフローチャートである。
【図３】本発明の実施の形態になるオーディオ装置の作用を示す模式図である。
【図４】本発明の実施の形態になるオーディオ装置の作用を示す模式図である。
【符号の説明】
【００５１】
１      装置本体
２      音楽記録媒体
３      音楽記録媒体制御装置
４      書換え可能記憶手段（フラッシュメモリ）
５      一時記憶手段（バッファ）
６      主制御手段
７      記憶媒体制御手段
８      入力手段
９      オーディオ出力手段
１０      表示手段
【図１】
2005285229.tif 000003
【図２】
2005285229.tif 000004
【図３】
2005285229.tif 000005
【図４】
2005285229.tif 000006